(57)【要約】  本願の実施例は端末装置によるＳＳ  ｂｌｏｃｋ検出の複雑度を低減するのに役立つ情報伝送方法及び装置を開示する。該方法は、端末装置がネットワーク装置から送信された第１同期信号ブロックを受信することであって、前記第１同期信号ブロックが第１の物理放送チャネル（ＰＢＣＨ）を含み、前記第１のＰＢＣＨで搬送される情報が第１情報と第２情報を含むことと、前記第１情報が残り最小システム情報（ＲＭＳＩ）の存在しないことを示す場合、前記端末装置が前記第２情報から第２同期信号ブロックのリソース情報を取得することと、を含む。
2021503861.tif 000002
【特許請求の範囲】
【請求項１】
情報伝送方法であって、
端末装置がネットワーク装置から送信された第１同期信号ブロックを受信することであって、前記第１同期信号ブロックが第１の物理放送チャネル（ＰＢＣＨ）を含み、前記第１のＰＢＣＨで搬送される情報が第１情報と第２情報を含むことと、
前記第１情報が残り最小システム情報（ＲＭＳＩ）の存在しないことを示す場合、前記端末装置が前記第２情報から第２同期信号ブロックのリソース情報を取得することと、を含むことを特徴とする、前記情報伝送方法。
【請求項２】
前記情報伝送方法は、更に、
前記端末装置が前記第２同期信号ブロックのリソース情報に基づき、前記第２同期信号ブロックを受信することを含み、前記第２同期信号ブロックが第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示すことを特徴とする
請求項１に記載の情報伝送方法。
【請求項３】
前記第２情報を搬送するための第１ビットフィールドと、前記第４情報を搬送するための第２ビットフィールドと、が少なくとも部分的に重なることを特徴とする
請求項２に記載の情報伝送方法。
【請求項４】
前記情報伝送方法は、更に、
前記第３情報がＲＭＳＩの存在することを示す場合に、前記端末装置が前記第４情報に基づいてＲＭＳＩを取得することを含むことを特徴とする
請求項２又は３に記載の情報伝送方法。
【請求項５】
前記端末装置が前記第４情報に基づいてＲＭＳＩを取得することは、
前記第４情報で示すリソース集合に基づき、物理ダウンリンク制御チャネル（ＰＤＣＣＨ）を検出し、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、を含むことを特徴とする
請求項４に記載の情報伝送方法。
【請求項６】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項１〜５のいずれか１項に記載の情報伝送方法。
【請求項７】
前記ＲＭＳＩは、ページング構成パラメータ、セル選択情報、アクセス制御情報のうちの少なくとも１つを含むことを特徴とする
請求項１〜６のいずれか１項に記載の情報伝送方法。
【請求項８】
情報伝送方法であって、
ネットワーク装置が残り最小システム情報（ＲＭＳＩ）の存在しないことを決定することと、
前記ネットワーク装置が端末装置へ第１同期信号ブロックを送信することであって、前記第１同期信号ブロックが第１の物理放送チャネル（ＰＢＣＨ）を含み、前記第１のＰＢＣＨで搬送される情報が第１情報と第２情報を含み、前記第１情報がＲＭＳＩの存在しないことを示すことに用いられ、前記第２情報が第２同期信号ブロックのリソース情報を示すことに用いられることと、を含むことを特徴とする、前記情報伝送方法。
【請求項９】
前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示すことを特徴とする
請求項８に記載の情報伝送方法。
【請求項１０】
前記第２情報を搬送するための第１ビットフィールドと、前記第４情報を搬送するための第２ビットフィールドと、が少なくとも部分的に重なることを特徴とする
請求項９に記載の情報伝送方法。
【請求項１１】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項８〜１０のいずれか１項に記載の情報伝送方法。
【請求項１２】
前記ＲＭＳＩは、ページング構成パラメータ、セル選択情報、アクセス制御情報のうちの少なくとも１つを含むことを特徴とする
請求項８〜１１のいずれか１項に記載の情報伝送方法。
【請求項１３】
情報伝送装置であって、
ネットワーク装置から送信された第１同期信号ブロックを受信するように構成される通信モジュールであって、前記第１同期信号ブロックが第１の物理放送チャネル（ＰＢＣＨ）を含み、前記第１のＰＢＣＨで搬送される情報が第１情報と第２情報を含む通信モジュールと、
前記第１情報が残り最小システム情報（ＲＭＳＩ）の存在しないことを示す場合、前記第２情報から第２同期信号ブロックのリソース情報を取得するように構成される取得モジュールと、を備えることを特徴とする、前記情報伝送装置。
【請求項１４】
前記通信モジュールは、更に、
前記第２同期信号ブロックのリソース情報に基づき、前記第２同期信号ブロックを受信することに用いられ、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示すことを特徴とする
請求項１３に記載の情報伝送装置。
【請求項１５】
前記第２情報を搬送するための第１ビットフィールドと、前記第４情報を搬送するための第２ビットフィールドと、が少なくとも部分的に重なることを特徴とする
請求項１４に記載の情報伝送装置。
【請求項１６】
前記取得モジュールは、更に、
前記第３情報がＲＭＳＩの存在することを示す場合、前記第４情報に基づいてＲＭＳＩを取得することに用いられることを特徴とする
請求項１４又は１５に記載の情報伝送装置。
【請求項１７】
前記取得モジュールは、具体的に、
前記第４情報で示すリソース集合に基づき、物理ダウンリンク制御チャネル（ＰＤＣＣＨ）を検出して、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、に用いられることを特徴とする
請求項１６に記載の情報伝送装置。
【請求項１８】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項１３〜１７のいずれか１項に記載の情報伝送装置。
【請求項１９】
前記ＲＭＳＩは、ページング構成パラメータ、セル選択情報、アクセス制御情報のうちの少なくとも１つを含むことを特徴とする
請求項１３〜１８のいずれか１項に記載の情報伝送装置。
【請求項２０】
情報伝送装置であって、
残り最小システム情報（ＲＭＳＩ）がないことを決定するように構成される決定モジュールと、
端末装置へ第１同期信号ブロックを送信するように構成される通信モジュールであって、前記第１同期信号ブロックが第１の物理放送チャネル（ＰＢＣＨ）を含み、前記第１のＰＢＣＨで搬送される情報が第１情報と第２情報を含み、前記第１情報がＲＭＳＩの存在しないことを示すことに用いられ、前記第２情報が第２同期信号ブロックのリソース情報を示すことに用いられる通信モジュールと、を備えることを特徴とする、前記情報伝送装置。
【請求項２１】
前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示すことを特徴とする
請求項２０に記載の情報伝送装置。
【請求項２２】
前記第２情報を搬送するための第１ビットフィールドと、前記第４情報を搬送するための第２ビットフィールドと、が少なくとも部分的に重なることを特徴とする
請求項２１に記載の情報伝送装置。
【請求項２３】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項２０〜２２のいずれか１項に記載の情報伝送装置。
【請求項２４】
前記ＲＭＳＩは、ページング構成パラメータ、セル選択情報、アクセス制御情報のうちの少なくとも１つを含むことを特徴とする
請求項２０〜２３のいずれか１項に記載の情報伝送装置。
【発明の詳細な説明】
【技術分野】
【０００１】
本願の実施例は通信分野に関し、より具体的に、情報伝送方法及び装置に関する。
【背景技術】
【０００２】
５Ｇの新無線（ＮＲ：Ｎｅｗ  Ｒａｄｉｏ）システムにおいて、端末装置はネットワークにアクセスする必要があるとき、ネットワークからシステム情報を取得する必要がある。具体的に、物理放送チャネル（ＰＢＣＨ又はＮＲ−ＰＢＣＨ：Ｐｈｙｓｉｃａｌ  Ｂｒｏａｄｃａｓｔ  Ｃｈａｎｎｅｌ）を介してシステム情報の一部を取得してもよく、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ、又はＮＲ−ＰＤＳＣＨと呼ぶこともできる）を介して残り最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）を取得してもよい。ＮＲ−ＰＤＳＣＨに対応するダウンリンク制御情報（ＤＣＩ：Ｄｏｗｎｌｉｎｋ  Ｃｏｎｔｒｏｌ  Ｉｎｆｏｒｍａｔｉｏｎ）は物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ、又はＮＲ−ＰＤＣＣＨと呼ぶこともできる）に含まれており、ＮＲ−ＰＤＣＣＨの位置する時間周波数リソース位置はＮＲ−ＰＢＣＨで搬送される制御リソースセット（ＣＯＲＥＳＥＴ：Ｃｏｎｔｒｏｌ  Ｒｅｓｏｕｒｃｅ  Ｓｅｔ）情報で示されるものである。ＮＲ−ＰＢＣＨには更に該ＮＲ−ＰＢＣＨに対応する同期信号ブロック（ＳＳ  ｂｌｏｃｋ：Ｓｙｎｃｈｒｏｎｉｚａｔｉｏｎ  Ｓｉｇｎａｌ  ｂｌｏｃｋ）がＲＭＳＩに関連付けられるかどうかを示すための指示情報が運ばれてもよい。該指示情報は該ＳＳ  ｂｌｏｃｋがＲＭＳＩに関連付けられていないことを示す場合、端末装置は対応するＲＭＳＩを受信する必要がないが、端末装置は他のＳＳ  ｂｌｏｃｋをブラインド検出してＲＭＳＩを取得する必要があり、このため、端末装置によるＳＳ  ｂｌｏｃｋ検出の複雑度が増やす。
【発明の概要】
【発明が解決しようとする課題】
【０００３】
本願の実施例は端末装置によるＳＳ  ｂｌｏｃｋ検出の複雑度を低減するのに役立つ情報伝送方法及び装置を提供する。
【課題を解決するための手段】
【０００４】
第１態様に係る情報伝送方法であって、
端末装置がネットワーク装置から送信された第１同期信号ブロックを受信することであって、前記第１同期信号ブロックが第１の物理放送チャネル（ＰＢＣＨ）を含み、前記第１のＰＢＣＨで搬送される情報が第１情報と第２情報を含むことと、
前記第１情報が残り最小システム情報（ＲＭＳＩ）の存在しないことを示す場合、前記端末装置が前記第２情報から第２同期信号ブロックのリソース情報を取得することと、を含む。
【０００５】
従って、本願の実施例の情報伝送方法によれば、前記端末装置は第１のＰＢＣＨで搬送される第１情報がＲＭＳＩの存在しないことを示す場合に、前記第１のＰＢＣＨで搬送される第２情報によって第２同期信号ブロックのリソース情報を取得することができ、更に第２同期信号ブロックのリソース情報に基づいて第２同期信号ブロックを受信することができ、端末装置が他の同期信号ブロックをブラインド検出する複雑度を低減させる。
【０００６】
第１態様を参照して、第１態様のいくつかの可能な実現方式では、前記情報伝送方法は、更に、
前記端末装置が前記第２同期信号ブロックのリソース情報に基づき、前記第２同期信号ブロックを受信することを含み、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【０００７】
第１態様を参照して、第１態様のいくつかの可能な実現方式では、前記情報伝送方法は、更に、
前記第３情報がＲＭＳＩの存在することを示す場合、前記端末装置が前記第４情報に基づいてＲＭＳＩを取得することを含む。
【０００８】
第１態様を参照して、第１態様のいくつかの可能な実現方式では、前記端末装置が前記第４情報に基づいてＲＭＳＩを取得することは、
前記第４情報で示すリソース集合に基づき、物理ダウンリンク制御チャネル（ＰＤＣＣＨ）を検出し、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、を含む。
【０００９】
第１態様を参照して、第１態様のいくつかの可能な実現方式では、前記第２同期信号ブロックのリソース情報は、前記第２同期信号ブロックの周波数領域リソース位置情報又は前記第１同期信号ブロックに対する前記第２同期信号ブロックの周波数領域位置のオフセット情報である。
【００１０】
第１態様を参照して、第１態様のいくつかの可能な実現方式では、前記第２情報を搬送するための第１ビットフィールドと、前記第４情報を搬送するための第２ビットフィールドと、が少なくとも部分的に重なる。
【００１１】
つまり、ＰＢＣＨで搬送される指示情報がＲＭＳＩの存在することを示す場合、ＰＢＣＨにおける第２ビットフィールドを利用してＲＭＳＩを受信するための制御情報のリソース集合の情報を搬送してもよく、ＰＢＣＨで搬送される指示情報がＲＭＳＩの存在しないことを示す場合、第４情報は、実際に意味がなくなる。従って、第２ビットフィールドを利用して第４情報を継続搬送せずに、第２ビットフィールドの一部又は全部を利用して前記第２情報を搬送してもよい。言い換えると、異なるシーンにおいて、ＰＢＣＨにおける特定のビットフィールド（すなわち、第１ビットフィールドと第２ビットフィールドとの重なる部分）を多重化して異なる情報を搬送してもよく、それによりシグナリングオーバーヘッドを低減することができる。
【００１２】
第１態様を参照して、第１態様のいくつかの可能な実現方式では、前記ＲＭＳＩは、ページング構成パラメータ、セル選択情報、アクセス制御情報のうちの少なくとも１つを含む。
【００１３】
第２態様に係る情報伝送方法であって、
ネットワーク装置が残り最小システム情報（ＲＭＳＩ）の存在しないことを決定することと、
前記ネットワーク装置が端末装置へ第１同期信号ブロックを送信することであって、前記第１同期信号ブロックが第１の物理放送チャネル（ＰＢＣＨ）を含み、前記第１のＰＢＣＨで搬送される情報が第１情報と第２情報を含み、前記第１情報がＲＭＳＩの存在しないことを示すことに用いられ、前記第２情報が第２同期信号ブロックのリソース情報を示すことに用いられることと、を含む。
【００１４】
第２態様を参照して、第２態様のいくつかの実現方式では、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【００１５】
第２態様を参照して、第２態様のいくつかの実現方式では、前記第２同期信号ブロックのリソース情報は、前記第２同期信号ブロックの周波数領域リソース位置情報又は前記第１同期信号ブロックに対する前記第２同期信号ブロックの周波数領域位置のオフセット情報である。
【００１６】
第２態様を参照して、第２態様のいくつかの実現方式では、前記第２情報を搬送するための第１ビットフィールドと前記第４情報を搬送するための第２ビットフィールドとが少なくとも部分的に重なる。
【００１７】
第２態様を参照して、第２態様のいくつかの実現方式では、前記ＲＭＳＩは、ページング構成パラメータ、セル選択情報、アクセス制御情報のうちの少なくとも１つを含む。
【００１８】
第３態様に係る情報伝送装置であって、上記第１態様又は第１態様のいずれか１つの可能な実現方式における方法を実行することに用いられる。具体的に、該装置は上記第１態様又は第１態様のいずれか１つの可能な実現方式における方法を実行するように構成されるユニットを備える。
【００１９】
第４態様に係る情報伝送装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第１態様又は第１態様のいずれか１つの可能な実現方式における方法を実行することに用いられる。
【００２０】
第５態様に係る情報伝送装置であって、上記第２態様又は第２態様のいずれか１つの可能な実現方式における方法を実行することに用いられる。具体的に、該装置は上記第２態様又は第２態様のいずれか１つの可能な実現方式における方法を実行するように構成されるユニットを備える。
【００２１】
第６態様に係る情報伝送装置であって、メモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第２態様又は第２態様のいずれか１つの可能な実現方式における方法を実行することに用いられる。
【００２２】
第７態様に係るコンピュータ記憶媒体であって、上記第１態様又は第１態様のいずれか１つの可能な実現方式における方法を実行するために用いた、上記態様を実行するために設計したプログラムを含むコンピュータソフトウェア命令を記憶することに用いられる。
【００２３】
第８態様に係る命令を含むコンピュータプログラム製品であって、コンピュータにおいて実行されるとき、コンピュータが上記第１態様又は第１態様のいずれか１つの可能な実現方式における方法を実行する。
【００２４】
第９態様に係るコンピュータ記憶媒体であって、上記第２態様又は第２態様のいずれか１つの可能な実現方式における方法を実行するために用いた、上記態様を実行するために設計したプログラムを含むコンピュータソフトウェア命令を記憶することに用いられる。
【００２５】
第１０態様に係る命令を含むコンピュータプログラム製品であって、コンピュータにおいて実行されるとき、コンピュータが上記第２態様又は第２態様のいずれか１つの可能な実現方式における方法を実行する。
【図面の簡単な説明】
【００２６】
【図１】図１は本願の実施例の応用シーンの模式図である。
【図２】図２は本願の実施例の情報伝送方法のフローチャートである。
【図３】図３は本願の他の実施例の情報伝送方法のフローチャートである。
【図４】図４は本願の実施例の情報伝送装置のブロック図である。
【図５】図５は本願の他の実施例の情報伝送装置のブロック図である。
【図６】図６は本願の実施例の情報伝送装置のブロック図である。
【図７】図７は本願の他の実施例の情報伝送装置のブロック図である。
【発明を実施するための形態】
【００２７】
以下、図面を参照しながら本願の実施例の技術案を説明する。
【００２８】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００２９】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００３０】
該無線通信システム１００は更にネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００３１】
説明すべきものは、５Ｇ  ＮＲシステムにおいて、ＰＢＣＨがＮＲ−ＰＢＣＨと称されてもよく、ＰＤＣＣＨがＮＲ−ＰＤＣＣＨと称されてもよく、ＰＤＳＣＨがＮＲ−ＰＤＳＣＨと称されてもよく、つまり、５Ｇ  ＮＲシステムにおいて、上記概念を互いに置換してもよい。
【００３２】
５Ｇ  ＮＲシステムにおいて、共通チャネル（例えば、放送チャネル）及び同期信号はマルチビーム走査方式でセル全体をカバレッジすることができ、セル内の端末装置による受信に役立つ。同期信号のマルチビーム送信は同期信号バースト集合（ＳＳ  ｂｕｒｓｔ  ｓｅｔ）の方式で実現されてもよく、例えば、１つのＳＳ  ｂｕｒｓｔ  ｓｅｔは１つ又は複数のＳＳ  ｂｕｒｓｔを含んでもよく、１つのＳＳ  ｂｕｒｓｔは１つ又は複数のＳＳ  ｂｌｏｃｋを含んでもよく、１つのＳＳ  ｂｌｏｃｋは１つのビームの同期信号及び放送チャネルを搬送することに用いられてもよい。例えば、１つのＳＳ  ｂｌｏｃｋに１つのシンボルの主同期信号（ＰＳＳ：Ｐｒｉｍａｒｙ  Ｓｙｎｃｈｒｏｎｉｚａｔｉｏｎ  Ｓｉｇｎａｌ）、１つのシンボルの補助同期信号（ＳＳＳ：Ｓｅｃｏｎｄａｒｙ  Ｓｙｎｃｈｒｏｎｉｚａｔｉｏｎ  Ｓｉｇｎａｌ）及び２つのシンボルのＰＢＣＨが含まれる。
【００３３】
具体的に、ＰＢＣＨはＣＯＲＥＳＥＴ情報を搬送することに用いられてもよく、ＣＯＲＥＳＥＴ情報は、ＲＭＳＩを受信するための制御情報を運ぶリソース集合を示す。つまり、ＣＯＲＥＳＥＴ情報を用いて、どのリソースで制御チャネルを検出し、制御情報を取得するかを知ることができる。例えば、ＣＯＲＥＳＥＴ情報は、周波数領域リソース、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び時間長等の情報を含んでもよい。
【００３４】
ＰＢＣＨは更に指示情報を搬送することに用いられてもよく、該指示情報は該ＳＳ  ｂｌｏｃｋがＲＭＳＩの送信に関連付けられるかどうかを示すことに用いられてもよく、又は、該指示情報はＲＭＳＩがあるかどうかを示すことに用いられてもよい。該指示情報が１ビットの指示情報であってもよく、ＲＭＳＩがない場合、端末装置がＲＭＳＩを取得せずに、他のＳＳ  ｂｌｏｃｋのリソース情報を取得しないため、端末装置はネットワークにアクセスするよう、他のＳＳ  ｂｌｏｃｋをブラインド検出してＲＭＳＩを取得する必要があり、このため、端末装置の消費電力及びアクセス遅延を増加させてしまう。
【００３５】
具体的に、ＲＭＳＩがＰＤＳＣＨにより搬送されてもよく、端末装置はＰＤＣＣＨで搬送されるＤＣＩを受信して、ＤＣＩに基づいてＰＤＳＣＨのスケジューリング情報を取得することができ、該ＰＤＳＣＨのスケジューリング情報によってＰＤＳＣＨを受信し、更にＲＭＳＩを取得することができる。ＰＤＣＣＨを運ぶリソース集合の情報は、ＰＢＣＨで搬送されるＣＯＲＥＳＥＴ情報で示されてもよく、端末装置はＣＯＲＥＳＥＴ情報を取得した後、該ＣＯＲＥＳＥＴダウンリンクで示すリソース集合からＰＤＣＣＨを検出して、ＤＣＩを取得することができる。
【００３６】
図２は本願の実施例に係る情報伝送方法２００のフローチャートであり、該方法２００は図１で示される通信システム１００における端末装置により実行されてもよく、図２に示すように、該方法２００は、以下のステップを含んでもよい。
【００３７】
Ｓ２１０：端末装置がネットワーク装置から送信された第１同期信号ブロックを受信し、前記第１同期信号ブロックが第１の物理放送チャネル（ＰＢＣＨ）を含み、前記第１のＰＢＣＨで搬送される情報が第１情報と第２情報を含む。
【００３８】
Ｓ２２０：前記第１情報が残り最小システム情報（ＲＭＳＩ）の存在しないことを示す場合、前記端末装置が前記第２情報から第２同期信号ブロックのリソース情報を取得する。
【００３９】
具体的には、端末装置は第１同期信号ブロックを受信してもよく、前記第１同期信号ブロックは第１のＰＢＣＨを含んでもよく、好ましくは、前記第１同期信号ブロックは更にＰＳＳとＳＳＳ等を含んでもよい。前記第１のＰＢＣＨで搬送される情報は第１情報と第２情報を含んでもよく、前記第１情報はＲＭＳＩがあるかどうかを示すことに用いられてもよい。好ましくは、前記第１情報はＲＭＳＩがないことを示すことに用いられる場合、前記第２情報は第２同期信号ブロックのリソース情報を示すことに用いられてもよく、又は、前記第１情報はＲＭＳＩがあることを示すことに用いられる場合、前記第２情報はＲＭＳＩを受信するための制御情報を含むリソース集合を示すことに用いられてもよい。
【００４０】
本願の実施例では、前記第１情報がＲＭＳＩの存在しないことを示す場合、前記端末装置は前記ＰＢＣＨで搬送される第２情報から第２同期信号ブロックのリソース情報を取得することができ、次に、前記第２同期信号ブロックのリソース情報に基づき、前記第２同期信号ブロックを受信することができる。
【００４１】
従って、本願の実施例の情報伝送方法によれば、前記端末装置は第１のＰＢＣＨで搬送される第１情報がＲＭＳＩの存在しないことを示す場合、前記第１のＰＢＣＨで搬送される第２情報によって第２同期信号ブロックのリソース情報を取得することができ、更に第２同期信号ブロックのリソース情報に基づいて第２同期信号ブロックを受信することができ、従って、端末装置が他の同期信号ブロックをブラインド検出する複雑度を低減させ、端末装置の消費電力及びアクセス遅延の低減に役立つ。
【００４２】
好ましくは、いくつかの実施例では、前記方法２００は、更に、
前記端末装置が前記第２同期信号ブロックのリソース情報に基づき、前記第２同期信号ブロックを受信することを含んでもよく、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【００４３】
具体的に、前記端末装置は第２情報に基づいて第２同期信号ブロックのリソース情報を取得した後、第２同期信号ブロックのリソース情報で示すリソース位置で第２同期信号ブロックを受信して、前記第２同期信号ブロックに含まれる第２のＰＢＣＨから、含まれる第３情報と第４情報を取得することができ、更に、第３情報がＲＭＳＩの存在することを示す場合、第４情報に基づいてＲＭＳＩを取得することができる。
【００４４】
好ましくは、いくつかの実施例では、前記端末装置が前記第４情報に基づいてＲＭＳＩを取得することは、
前記第４情報で示すリソース集合に基づき、物理ダウンリンク制御チャネル（ＰＤＣＣＨ）を検出し、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、を含む。
【００４５】
具体的に、第３情報がＲＭＳＩの存在することを示す場合、前記第４情報はＲＭＳＩを受信するための制御情報を含むリソース集合を示してもよく、つまり、前記第４情報に基づいてＲＭＳＩに関連する制御情報を含むリソース集合を取得することができ、つまり、第４情報で示すリソース集合からＰＤＣＣＨを検出して、ＲＭＳＩを含むＰＤＳＣＨのスケジューリング情報を取得することができ、更にＰＤＳＣＨのスケジューリング情報に基づいてＰＤＳＣＨを検出して、ＰＤＳＣＨで搬送されるＲＭＳＩを取得することができ、次に、ＲＭＳＩ等のシステム情報に基づいてネットワークにアクセスすることができる。
【００４６】
従って、本願の実施例の情報伝送方法によれば、前記端末装置は前記第１のＰＢＣＨで搬送される第２情報に基づいて第２同期信号ブロックのリソース情報を取得することができ、更に第２同期信号ブロックのリソース情報に基づいて第２同期信号ブロックを受信して、前記第２のＰＢＣＨで搬送される第３情報と第４情報を取得することができ、第３情報がＲＭＳＩの存在することを示すことに用いられ、前記第４情報がＲＭＳＩを受信するための制御情報を含むリソース集合を示し、これにより、前記端末装置は前記第４情報に基づいてＲＭＳＩを取得することができ、従って、端末装置が他の同期信号ブロックをブラインド検出する複雑度を低減させ、更に端末装置の消費電力及びアクセス遅延を低減させることができる。
【００４７】
説明すべきものは、前記端末装置は更に前記第２情報からより多くの同期信号ブロックのリソース情報を取得することができ、例えば、前記第２情報から第３同期信号ブロック及び第４同期信号ブロックのリソース情報等を取得することができ、本願の実施例は第２情報から第２同期信号ブロックのリソース情報を取得する場合を例として説明するが、本願の実施例はこれに限らない。
【００４８】
理解すべきものは、本願の実施例では、第１情報はＲＭＳＩがあるかどうかを示すことに用いられてもよく、又は、第１情報は第１同期信号ブロックがＲＭＳＩの送信に関連付けられるかどうかを示すことに用いられてもよく、同様に、前記第３情報もＲＭＳＩがあるかどうかを示すことに用いられてもよく、又は、前記第３情報は第２同期信号ブロックがＲＭＳＩの送信に関連付けられるかどうかを示すことに用いられてもよい。好ましくは、該第１情報及び第３情報を搬送するためのビットフィールドは同じビットフィールドであってもよく、１つの具体的な実施例では、該第１情報及び第３情報は以上に記載の１ビットの指示情報に対応してもよい。
【００４９】
好ましくは、本願の実施例では、前記第２情報を搬送するための第１ビットフィールドと前記第４情報を搬送するための第２ビットフィールドとが少なくとも部分的に重なる。
【００５０】
理解すべきものは、本願の実施例は第１ビットフィールド及び第２ビットフィールドのサイズを制限せず、例えば、第１ビットフィールドが第２ビットフィールドより大きくてもよく、第２ビットフィールドが第１ビットフィールドより大きくてもよく、第１ビットフィールドが第２ビットフィールドに等しくてもよく、該第１ビットフィールドと第２ビットフィールドとが少なくとも部分的に重なればよい。
【００５１】
つまり、ＰＢＣＨで搬送される指示情報がＲＭＳＩの存在することを示す場合、ＰＢＣＨにおける第２ビットフィールドを利用してＲＭＳＩを受信するための制御情報のリソース集合を搬送してもよく、ＰＢＣＨで搬送される指示情報がＲＭＳＩの存在しないことを示す場合、第４情報は、実際に意味がなくなる。従って、第２ビットフィールドを利用して第４情報を継続搬送せずに、第２ビットフィールドの一部又は全部を利用して前記第２情報を搬送してもよい。つまり、異なるシーンにおいて、ＰＢＣＨにおける特定のビットフィールド（すなわち、第１ビットフィールドと第２ビットフィールドとの重なる部分）を多重化して異なる情報を搬送してもよく、それによりシグナリングオーバーヘッドを低減することができる。
【００５２】
例えば、第２情報を搬送するための第１ビットフィールドが８ビット、第４情報を搬送するための第２ビットフィールドが１０ビットであって、第１ビットフィールド及び第２ビットフィールドの開始位置が同じである場合、第１ビットフィールドと第２ビットフィールドとの重なる領域が８ビットであり、第３情報がＲＭＳＩの存在することを示す場合、第２ビットフィールドを利用してＲＭＳＩを受信するための制御情報のリソース集合を搬送してもよく、第１情報がＲＭＳＩの存在しないことを示す場合、第４情報は、実際に意味がなくなる。従って、第２ビットフィールドを利用して第４情報を継続搬送しなくてもよく、この場合、第１ビットフィールドを利用して他の同期信号ブロックのリソース情報を搬送してもよく、それによりシグナリングオーバーヘッドを低減することができる。
【００５３】
好ましくは、第１ビットフィールドと第２ビットフィールドとが同じビットフィールドを再利用し、つまり、第１ビットフィールドと第２ビットフィールドとが完全に重なる。
【００５４】
好ましくは、いくつかの実施例では、前記第４情報を搬送するための第２ビットフィールドは従来のＣＯＲＥＳＥＴ指示フィールドであってもよく、該ＣＯＲＥＳＥＴ指示フィールドはＣＯＲＥＳＥＴ情報を搬送することに用いられてもよく、つまり、端末装置はＣＯＲＥＳＥＴ情報に基づいてどのリソースにおいて制御チャネルを検出するかを取得することができる。この場合、前記第２情報を搬送するための第１ビットフィールドは前記ＣＯＲＥＳＥＴ指示フィールドの一部又は全部を含んでもよい。
【００５５】
つまり、ＰＢＣＨで搬送されるＣＯＲＥＳＥＴ指示フィールドの一部又は全部を利用して前記第２情報を搬送してもよい。例えば、第１のＰＢＣＨで搬送される第１情報がＲＭＳＩの存在しないことを示す場合、第１のＰＢＣＨのＣＯＲＥＳＥＴ指示フィールドで搬送されるＣＯＲＥＳＥＴ情報は実際には意味がなくなり、換言すれば、該ＣＯＲＥＳＥＴ指示フィールドにＣＯＲＥＳＥＴ情報を記入する必要がなくなる。この場合、該ＣＯＲＥＳＥＴ指示フィールドの一部又は全部を利用して第２同期信号ブロックのリソース情報を記入してもよい。このように、前記端末装置はＣＯＲＥＳＥＴ指示フィールドに記入された第２同期信号ブロックのリソース情報に基づき、前記第２同期信号ブロックを検出することができる。これにより、端末装置が他のＳＳ  ｂｌｏｃｋを検出する複雑度を低減させることができ、且つ従来のＣＯＲＥＳＥＴ指示フィールドを利用して他の同期信号ブロックのリソース情報を搬送することにより、従来技術との互換性を向上させることができるとともに、シグナリングオーバーヘッドの低減にも役立つ。
【００５６】
好ましくは、本願の実施例では、前記第２同期信号ブロックのリソース情報は前記第２同期信号ブロックの時間領域リソースの情報及び／又は周波数領域リソースの情報を含んでもよい。
【００５７】
例えば、前記第２同期信号ブロックの周波数領域リソースの情報は前記第２同期信号ブロックの周波数領域リソース位置情報であってもよく、前記第１同期信号ブロックに対する前記第２同期信号ブロックの周波数領域位置のオフセット情報であってもよい。
【００５８】
好ましくは、いくつかの実施例では、前記ＲＭＳＩは、ページング構成パラメータ、セル選択情報、アクセス制御情報のうちの少なくとも１つを含む。
【００５９】
つまり、該ＲＭＳＩは端末装置がネットワークにアクセスすることに用いられてもよい。
【００６０】
以上は図２を参照しながら端末装置の観点から本願の実施例に係る情報伝送方法を詳しく説明したが、以下に図３を参照しながらネットワーク装置の観点から本願の他の実施例に係る情報伝送方法を詳しく説明する。理解すべきものは、ネットワーク装置側の説明は端末装置側の説明に対応し、類似の説明は以上の説明を参照してもよく、重複を避けるため、ここで詳細な説明は省略する。
【００６１】
図３は本願の他の実施例に係る情報伝送方法３００のフローチャートであり、該方法３００は図１に示される通信システムにおけるネットワーク装置により実行されてもよく、図３に示すように、該方法３００は、以下のステップを含んでもよい。
【００６２】
Ｓ３１０：ネットワーク装置が残り最小システム情報（ＲＭＳＩ）の存在しないことを決定する。
【００６３】
Ｓ３２０：前記ネットワーク装置が端末装置へ第１同期信号ブロックを送信し、前記第１同期信号ブロックが第１の物理放送チャネル（ＰＢＣＨ）を含み、前記第１のＰＢＣＨで搬送される情報が第１情報と第２情報を含み、前記第１情報がＲＭＳＩの存在しないことを示すことに用いられ、前記第２情報が第２同期信号ブロックのリソース情報を示すことに用いられる。
【００６４】
好ましくは、いくつかの実施例では、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【００６５】
好ましくは、いくつかの実施例では、前記第２同期信号ブロックのリソース情報が前記第２同期信号ブロックの周波数領域リソース位置情報又は前記第１同期信号ブロックに対する前記第２同期信号ブロックの周波数領域位置のオフセット情報である。
【００６６】
好ましくは、いくつかの実施例では、前記第２情報を搬送するための第１ビットフィールドと前記第４情報を搬送するための第２ビットフィールドとが少なくとも部分的に重なる。
【００６７】
好ましくは、いくつかの実施例では、前記ＲＭＳＩは、ページング構成パラメータ、セル選択情報、アクセス制御情報のうちの少なくとも１つを含む。
【００６８】
以上は図２及び図３を参照しながら本願の方法実施例を詳しく説明したが、以下に図４〜図７を参照しながら本願の装置実施例を詳しく説明し、理解すべきものは、装置実施例は方法実施例に対応し、類似の説明は方法実施例を参照してもよい。
【００６９】
図４は本願の実施例に係る情報伝送装置のブロック図である。図４における装置４００は、
ネットワーク装置から送信された第１同期信号ブロックを受信するように構成される通信モジュール４１０であって、前記第１同期信号ブロックが第１の物理放送チャネル（ＰＢＣＨ）を含み、前記第１のＰＢＣＨで搬送される情報が第１情報と第２情報を含む通信モジュール４１０と、
前記第１情報が残り最小システム情報（ＲＭＳＩ）の存在しないことを示す場合、前記第２情報から第２同期信号ブロックのリソース情報を取得するように構成される取得モジュール４２０と、を備える。
【００７０】
好ましくは、いくつかの実施例では、前記通信モジュール４１０は、更に、前記第２同期信号ブロックのリソース情報に基づき、前記第２同期信号ブロックを受信することに用いられ、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【００７１】
好ましくは、いくつかの実施例では、前記取得モジュール４２０は、更に、前記第３情報がＲＭＳＩの存在することを示す場合、前記第４情報に基づいてＲＭＳＩを取得することに用いられる。
【００７２】
好ましくは、いくつかの実施例では、前記取得モジュール４２０は、具体的に、
前記第４情報で示すリソース集合に基づき、物理ダウンリンク制御チャネル（ＰＤＣＣＨ）を検出し、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、に用いられる。
【００７３】
好ましくは、いくつかの実施例では、前記第２同期信号ブロックのリソース情報が前記第２同期信号ブロックの周波数領域リソース位置情報又は前記第１同期信号ブロックに対する前記第２同期信号ブロックの周波数領域位置のオフセット情報である。
【００７４】
好ましくは、いくつかの実施例では、前記第２情報を搬送するための第１ビットフィールドと前記第４情報を搬送するための第２ビットフィールドとが少なくとも部分的に重なる。
【００７５】
好ましくは、いくつかの実施例では、前記ＲＭＳＩは、ページング構成パラメータ、セル選択情報、アクセス制御情報のうちの少なくとも１つを含む。
【００７６】
具体的に、該装置４００は上記方法３００に説明されたネットワーク装置に対応してもよく（例えば、該ネットワーク装置に配置されてもよく又はそのものが該ネットワーク装置である）、且つ、該装置４００の各モジュール又はユニットはそれぞれ上記方法３００におけるネットワーク装置の実行する各動作又は処理過程を実行することに用いられ、重複を避けるため、ここで詳細な説明は省略する。
【００７７】
図５は本願の実施例に係る情報伝送装置のブロック図である。図５における装置５００は、
残り最小システム情報（ＲＭＳＩ）がないことを決定するように構成される決定モジュール５１０と、
端末装置へ第１同期信号ブロックを送信するように構成される通信モジュール５２０であって、前記第１同期信号ブロックが第１の物理放送チャネル（ＰＢＣＨ）を含み、前記第１のＰＢＣＨで搬送される情報が第１情報と第２情報を含み、前記第１情報がＲＭＳＩの存在しないことを示すことに用いられ、前記第２情報が第２同期信号ブロックのリソース情報を示すことに用いられる通信モジュール５２０と、を備える。
【００７８】
好ましくは、いくつかの実施例では、前記第２同期信号ブロックが前記第２の物理放送チャネル（ＰＢＣＨ）を含み、前記第２のＰＢＣＨで搬送される情報が第３情報と第４情報を含み、前記第３情報がＲＭＳＩの存在することを示し、前記第４情報がＲＭＳＩを受信するための制御情報を含むリソース集合を示す。
【００７９】
好ましくは、いくつかの実施例では、前記第２同期信号ブロックのリソース情報が前記第２同期信号ブロックの周波数領域リソース位置情報又は前記第１同期信号ブロックに対する前記第２同期信号ブロックの周波数領域位置のオフセット情報である。
【００８０】
好ましくは、いくつかの実施例では、前記第２情報を搬送するための第１ビットフィールドと前記第４情報を搬送するための第２ビットフィールドとが少なくとも部分的に重なる。
【００８１】
好ましくは、いくつかの実施例では、前記ＲＭＳＩは、ページング構成パラメータ、セル選択情報、アクセス制御情報のうちの少なくとも１つを含む。
【００８２】
具体的に、該装置５００は上記方法３００に説明されたネットワーク装置に対応してもよく（例えば、該ネットワーク装置に配置されてもよく又はそのものが該ネットワーク装置である）、且つ、該装置５００の各モジュール又はユニットはそれぞれ上記方法３００におけるネットワーク装置の実行する各動作又は処理過程を実行することに用いられ、重複を避けるため、ここで詳細な説明は省略する。
【００８３】
図６に示すように、本願の実施例は更に情報伝送装置６００を提供し、前記装置６００は図２における方法２００に対応する端末装置の内容を実行できる図４における装置４００であってもよい。前記装置６００は入力インターフェース６１０、出力インターフェース６２０、プロセッサ６３０及びメモリ６４０を備え、前記入力インターフェース６１０、出力インターフェース６２０、プロセッサ６３０及びメモリ６４０がバスシステムによって接続されてもよい。前記メモリ６４０はプログラム、命令又はコードを記憶することに用いられる。入力インターフェース６１０が信号を受信し、出力インターフェース６２０が信号を送信するように制御し及び上記方法実施例における操作を完了するよう、前記プロセッサ６３０は前記メモリ６４０におけるプログラム、命令又はコードを実行することに用いられる。
【００８４】
理解すべきものは、本願の実施例では、前記プロセッサ６３０は中央処理装置（ＣＰＵ：Ｃｅｎｔｒａｌ  Ｐｒｏｃｅｓｓｉｎｇ  Ｕｎｉｔ）であってもよく、前記プロセッサ６３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は前記プロセッサはいかなる通常のプロセッサ等であってもよい。
【００８５】
前記メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【００８６】
実現過程において、上記方法の各内容はプロセッサ６３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ６４０に位置し、プロセッサ６３０はメモリ６４０における情報を読み取り、そのハードウェアと組み合わせて上記方法の内容を行う。重複を避けるため、ここで詳細な説明は省略する。
【００８７】
１つの具体的な実施形態では、図４における装置４００に含まれる取得モジュール４２０は図６におけるプロセッサ６３０により実現されてもよく、図４における装置４００に含まれる通信モジュール４１０は図６における前記入力インターフェース６１０及び前記出力インターフェース６２０により実現されてもよい。
【００８８】
図７に示すように、本願の実施例は更に情報伝送装置７００を提供し、前記装置７００は図３における方法３００に対応するネットワーク装置の内容を実行できる図５における装置５００であってもよい。前記装置７００は入力インターフェース７１０、出力インターフェース７２０、プロセッサ７３０及びメモリ７４０を備え、前記入力インターフェース７１０、出力インターフェース７２０、プロセッサ７３０及びメモリ７４０がバスシステムによって接続されてもよい。前記メモリ７４０はプログラム、命令又はコードを記憶することに用いられる。入力インターフェース７１０が信号を受信し、出力インターフェース７２０が信号を送信するように制御し及び上記方法実施例における操作を完了するよう、前記プロセッサ７３０は前記メモリ７４０におけるプログラム、命令又はコードを実行することに用いられる。
【００８９】
理解すべきものは、本願の実施例では、前記プロセッサ７３０は中央処理装置（ＣＰＵ：Ｃｅｎｔｒａｌ  Ｐｒｏｃｅｓｓｉｎｇ  Ｕｎｉｔ）であってもよく、前記プロセッサ７３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は前記プロセッサはいかなる通常のプロセッサ等であってもよい。
【００９０】
前記メモリ７４０は読み出し専用メモリ及びランダムアクセスメモリを含んでもよく、且つプロセッサ７３０に命令及びデータを提供する。メモリ７４０の一部は更に不揮発性ランダムアクセスメモリを含んでもよい。例えば、メモリ７４０に更に装置タイプの情報が記憶されてもよい。
【００９１】
実現過程において、上記方法の各内容はプロセッサ７３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。前記記憶媒体はメモリ７４０に位置し、プロセッサ７３０はメモリ７４０における情報を読み取り、そのハードウェアと組み合わせて上記方法の内容を行う。重複を避けるため、ここで詳細な説明は省略する。
【００９２】
１つの具体的な実施形態では、図５における装置５００に含まれる決定モジュール５１０は図７におけるプロセッサ７３０により実現されてもよく、図５における装置５００に含まれる通信モジュール５２０は図７における前記入力インターフェース７１０及び前記出力インターフェース７２０により実現されてもよい。
【００９３】
本願の実施例は更にコンピュータ可読記憶媒体を提供し、該コンピュータ可読記憶媒体に１つ又は複数のプログラムが記憶され、該１つ又は複数のプログラムは命令を含み、該命令が複数のアプリケーションプログラムを含むポータブル電子機器により実行されるとき、該ポータブル電子機器が図２及び図３に示される実施例の方法を実行することができる。
【００９４】
本願の実施例は更にコンピュータプログラムを提供し、該コンピュータプログラムは命令を含み、該コンピュータプログラムがコンピュータにより実行されるとき、コンピュータが図２及び図３に示される実施例の方法の対応プロセスを実行することができる。
【００９５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【００９６】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【００９７】
本願に係るいくつかの実施例において、理解すべきものは、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００９８】
分離部材として説明される前記ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【００９９】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１００】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は前記技術案の一部はソフトウェア製品の形式で具現されてもよく、前記コンピュータソフトウェア製品は、１台のコンピュータ装置（パーソナルコンピュータ、サーバ又はネットワーク装置等）に本願の各実施例に記載の情報伝送方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１０１】
以上の説明は本願の具体的な実施形態であって、本願の保護範囲を制限するためのものではなく、当業者が本願に開示される技術的範囲内で容易に想到して得る変更や置換は、いずれも本願の保護範囲内に含まれるべきである。従って、本願の保護範囲は特許請求の範囲に準じるべきである。
【図１】
2021503861.tif 000003
【図２】
2021503861.tif 000004
【図３】
2021503861.tif 000005
【図４】
2021503861.tif 000006
【図５】
2021503861.tif 000007
【図６】
2021503861.tif 000008
【図７】
2021503861.tif 000009
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置がネットワーク装置から送信された第１同期信号ブロックを受信することを含み、前記第１同期信号ブロックが第１の物理放送チャネル（ＰＢＣＨ）を含み、前記第１のＰＢＣＨで搬送される情報が第１情報と第２情報を含み、
前記第１情報は、残り最小システム情報（ＲＭＳＩ）が存在するか否かを示すことに用いられ、
前記第１情報がＲＭＳＩの存在しないことを示す場合、前記第２情報は、第２同期信号ブロックのリソース情報を示すことに用いられることを特徴とする、前記情報伝送方法。
【請求項２】
前記情報伝送方法は、更に、
前記第１情報がＲＭＳＩの存在しないことを示す場合、前記端末装置が前記第２情報に基づいて第２同期信号ブロックのリソース情報を取得することを含むことを特徴とする
請求項１に記載の情報伝送方法。
【請求項３】
前記情報伝送方法は、更に、
前記端末装置が前記第２同期信号ブロックを受信することを含み、前記第２同期信号ブロックが第２の物理放送チャネル（ＰＢＣＨ）を含み、前記第２のＰＢＣＨで搬送される情報が第３情報と第４情報を含み、
前記第３情報は、ＲＭＳＩが存在するか否かを示すことに用いられ、
前記第３情報がＲＭＳＩの存在することを示す場合、前記第４情報は、ＲＭＳＩを受信するための制御情報を含むリソース集合を示すことに用いられる
請求項１又は２に記載の情報伝送方法。
【請求項４】
前記第２同期信号ブロックを受信することは、
前記第２同期信号ブロックのリソース情報に基づいて、前記第２同期信号ブロックを受信することを含むことを特徴とする
請求項３に記載の情報伝送方法。
【請求項５】
前記第１のＰＢＣＨは、前記第２情報を搬送するための第１ビットフィールドを含み、
前記第２のＰＢＣＨは、前記第１ビットフィールドと同一であり、前記第４情報を搬送するための第２ビットフィールドを含むことを特徴とする
請求項３又は４に記載の情報伝送方法。
【請求項６】
前記第１のＰＢＣＨで前記第１情報を搬送するためのビットフィールドと、前記第２のＰＢＣＨで前記第３情報を搬送するためのビットフィールドは同一であることを特徴とする
請求項３〜５のいずれか１項に記載の情報伝送方法。
【請求項７】
前記情報伝送方法は、更に、
前記第３情報がＲＭＳＩの存在することを示す場合に、前記端末装置が前記第４情報に基づいてＲＭＳＩを取得することを含むことを特徴とする
請求項３〜６のいずれか１項に記載の情報伝送方法。
【請求項８】
前記端末装置が前記第４情報に基づいてＲＭＳＩを取得することは、
前記第４情報で示すリソース集合に基づき、物理ダウンリンク制御チャネル（ＰＤＣＣＨ）を検出し、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、を含むことを特徴とする
請求項７に記載の情報伝送方法。
【請求項９】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項１〜８のいずれか１項に記載の情報伝送方法。
【請求項１０】
前記ＲＭＳＩは、ページング構成パラメータ、セル選択情報、アクセス制御情報のうちの少なくとも１つを含むことを特徴とする
請求項１〜９のいずれか１項に記載の情報伝送方法。
【請求項１１】
情報伝送装置であって、
ネットワーク装置から送信された第１同期信号ブロックを受信するように構成される通信モジュールを含み、前記第１同期信号ブロックが第１の物理放送チャネル（ＰＢＣＨ）を含み、前記第１のＰＢＣＨで搬送される情報が第１情報と第２情報を含み、
前記第１情報は、残り最小システム情報（ＲＭＳＩ）が存在するか否かを示すことに用いられ、
前記第１情報がＲＭＳＩの存在しないことを示す場合、前記第２情報は、第２同期信号ブロックのリソース情報を示すことに用いられることを特徴とする、前記情報伝送装置。
【請求項１２】
前記情報伝送装置は、更に、
前記第１情報がＲＭＳＩの存在しないことを示す場合、前記端末装置が前記第２情報に基づいて第２同期信号ブロックのリソース情報を取得するように構成される取得モジュールを含むことを特徴とする
請求項１１に記載の情報伝送装置。
【請求項１３】
前記通信モジュールは、更に、前記第２同期信号ブロックを受信するように構成され、前記第２同期信号ブロックが第２の物理放送チャネル（ＰＢＣＨ）を含み、前記第２のＰＢＣＨで搬送される情報が第３情報と第４情報を含み、
前記第３情報は、ＲＭＳＩが存在するか否かを示すことに用いられ、
前記第３情報がＲＭＳＩの存在することを示す場合、前記第４情報は、ＲＭＳＩを受信するための制御情報を含むリソース集合を示すことに用いられる
請求項１１又は１２に記載の情報伝送装置。
【請求項１４】
前記通信モジュールは、更に、
前記第２同期信号ブロックのリソース情報に基づき、前記第２同期信号ブロックを受信するように構成されることを特徴とする
請求項１３に記載の情報伝送装置。
【請求項１５】
前記第１のＰＢＣＨは、前記第２情報を搬送するための第１ビットフィールドを含み、
前記第２のＰＢＣＨは、前記第１ビットフィールドと同一であり、前記第４情報を搬送するための第２ビットフィールドを含むことを特徴とする
請求項１３又は１４に記載の情報伝送装置。
【請求項１６】
前記第１のＰＢＣＨで前記第１情報を搬送するためのビットフィールドと、前記第２のＰＢＣＨで前記第３情報を搬送するためのビットフィールドは同一であることを特徴とする
請求項１３〜１５のいずれか１項に記載の情報伝送装置。
【請求項１７】
前記取得モジュールは、更に、
前記第３情報がＲＭＳＩの存在することを示す場合、前記第４情報に基づいてＲＭＳＩを取得するように構成されることを特徴とする
請求項１３〜１６のいずれか１項に記載の情報伝送装置。
【請求項１８】
前記取得モジュールは、具体的に、
前記第４情報で示すリソース集合に基づき、物理ダウンリンク制御チャネル（ＰＤＣＣＨ）を検出して、物理ダウンリンク共有チャネル（ＰＤＳＣＨ）のスケジューリング情報を取得することと、
前記ＰＤＳＣＨのスケジューリング情報に基づいて前記ＰＤＳＣＨで搬送されるＲＭＳＩを取得することと、を実行するように構成されることを特徴とする
請求項１７に記載の情報伝送装置。
【請求項１９】
前記第２同期信号ブロックのリソース情報は、前記第２同期信号ブロックの周波数領域リソース位置情報又は前記第１同期信号ブロックに対する前記第２同期信号ブロックの周波数領域位置のオフセット情報であることを特徴とする
請求項１１〜１８のいずれか１項に記載の情報伝送装置。
【請求項２０】
前記ＲＭＳＩは、ページング構成パラメータ、セル選択情報、アクセス制御情報のうちの少なくとも１つを含むことを特徴とする
請求項１１〜１９のいずれか１項に記載の情報伝送装置。
【国際調査報告】
2021503861.tif 000010
2021503861.tif 000011
2021503861.tif 000012
2021503861.tif 000013